(57)【要約】      （修正有）【課題】簡単な機構によって居住者の安否を確認できるとともに、容易に設置が可能な警報装置を提供する。【解決手段】警報装置１は、例えば玄関扉２に設置される本体１０と、玄関扉２の枠体３に設置される磁性体２０とを備える。本体１０は、ケーシングと、ケーシング外部から視認可能なバッテリランプおよび通報ランプと、電源スイッチとを備える。また、ケーシング内には、電源スイッチによってＯＮ／ＯＦＦされる乾電池等の電源と、磁性体２０を検出する磁性体検出部と、検出手段に基づき玄関扉２の開閉の有無を判断する制御部と、制御部によって起動される通報手段とを含む。バッテリランプは、電源から電力が供給されているときに発光し、通報ランプは、通報手段が起動されたときに発光する。【選択図】図１
0003190086.tif 000002
【実用新案登録請求の範囲】
【請求項１】
本体と、前記本体に対向して配置される磁性体とを備える警報装置であって、
前記本体は、前記磁性体を検出する磁性体検出部と、磁性体検出部に基づき扉の開閉の有無を判断する制御部と、前記制御部によって起動される通報手段と、電源とを含み、
前記磁性体検出部および前記磁性体のいずれか一方は扉に設けられ、いずれか他方は扉の枠体に設けられ、前記扉の閉位置において前記磁性体検出部および前記磁性体が対向することによって、前記磁性体検出部が前記磁性体の磁力を検出可能であり、
前記制御部は、一定期間前記磁性体検出部が前記磁性体の磁力を検出し続けた場合に前記扉の開閉がなかったと判断し、前記通報手段を起動することを特徴とする警報装置。
【請求項２】
前記本体は、複数の前記磁性体検出部を備え、
前記磁性体検出部は、異なる位置に設けられることを特徴とする請求項１記載の警報装置。
【考案の詳細な説明】
【技術分野】
【０００１】
この考案は、住居に取り付け可能な警報装置に関し、より詳細には、居住者が一定期間、一定の場所を通行しなかったことを検出し、警報を発する警報装置に関する。
【背景技術】
【０００２】
従来、居住者の安否を判定する装置が知られている。居住者の安否は、居住内に設置された居住者の体温を感知する人感センサ、居住空間の明るさの変化を感知する光センサ、または、室温の変化を感知する温度センサなどを用いて判断し、居住者の安否に異常があると判断した場合に外部に通報することによって、早期に異常を知らせることができる。
【先行技術文献】
【特許文献】
【０００３】
【特許文献１】実用新案登録第３１５７３７３号公報
【特許文献２】特開２００２−４２２８１号公報
【考案の概要】
【考案が解決しようとする課題】
【０００４】
しかしながら、特許文献１および特許文献２によれば、複数のセンサが必須であり、制御機構や判断方法が煩雑になる。また、センサの設置場所によって安否判断の精度が異なるから、専門家以外の者は容易に取り付けることができないという問題があった。
【０００５】
この考案では、簡単な機構によって居住者の安否を確認できるとともに、容易に設置が可能な警報装置を提供することを課題とする。
【課題を解決するための手段】
【０００６】
この考案は、本体と、前記本体に対向して配置される磁性体とを備える警報装置であって、前記本体は、前記磁性体を検出する磁性体検出部と、磁性体検出部に基づき扉の開閉の有無を判断する制御部と、前記制御部によって起動される通報手段と、電源とを含み、前記磁性体検出部および前記磁性体のいずれか一方は扉に設けられ、いずれか他方は扉の枠体に設けられ、前記扉の閉位置において前記磁性体検出部および前記磁性体が対向することによって、前記磁性体検出部が前記磁性体の磁力を検出可能であり、前記制御部は、一定期間前記磁性体検出部が前記磁性体の磁力を検出し続けた場合に前記扉の開閉がなかったと判断し、前記通報手段を起動することを特徴とする。
【０００７】
前記本体は、複数の前記磁性体検出部を備え、前記磁性体検出部は、異なる位置に設けられてもよい。
【考案の効果】
【０００８】
この考案の警報装置によれば、磁性体と磁性体に対向して設けられた磁性体検出部とによって、扉の開閉の有無を判断し、一定期間扉の開閉がなかったと判断した場合には、通報手段を起動することとしたので、複数種類のセンサ等が不要で比較的単純な制御が可能となる。また、扉または枠体のいずれか一方に本体を設置し、いずれか他方に磁性体を設置するだけでよいので、その設置も容易である。
【図面の簡単な説明】
【０００９】
【図１】警報装置の本体を扉に設置し、磁性体を枠体に設置したときの使用状態の概要を示す図。
【図２】第１の実施態様における警報装置の斜視図。
【図３】警報装置の本体のハードウエア構成を示すブロック図。
【図４】警報装置の本体の制御部による判断処理の流れを示すフローチャート。
【図５】第２の実施態様における警報装置の斜視図。
【考案を実施するための形態】
【００１０】
（第１の実施態様）
図１〜図４は、この発明の第１の実施態様の例を示したものである。
図１および図２を参照すれば、警報装置１は、例えば玄関扉２に設置される本体１０と、玄関扉２の枠体３に設置される磁性体２０とを備える。磁性体２０は、例えば永久磁石である。本体１０は、ケーシング１１と、ケーシング１１外部から視認可能なバッテリランプ１２および通報ランプ１３と、電源スイッチ１４とを備える。また、ケーシング１１内には、電源スイッチ１４によってＯＮ／ＯＦＦされる乾電池等の電源と、磁性体２０を検出する磁性体検出部３２と、検出手段に基づき玄関扉２の開閉の有無を判断する制御部と、制御部によって起動される通報手段とを含む。バッテリランプ１２は、電源から電力が供給されているときに発光し、通報ランプ１３は、通報手段が起動されたときに発光する。
【００１１】
この実施形態においてケーシング１１は、略矩形であり、両側縁１１Ａ，１１Ｂおよび前後端縁１１Ｃ，１１Ｄとを含む。磁性体検出部３２は両側縁１１Ａ，１１Ｂ、前後端縁１１Ｃ，１１Ｄのいずれかに配置される。この実施形態では、図２における右側の側縁１１Ｂに設けられる。ケーシング１１の表面には磁性体検出部３２を設けた位置を三角で示すことによって、容易にその場所が分かるようにしている。また、磁性体検出部３２と磁性体２０とは、玄関扉２を閉めたときに互いに対向するように配置する。これによって、磁性体検出部３２が磁性体２０の磁力を検出可能となる。
【００１２】
図３に示す通り、本体１０のケーシング１１内部には、制御部３１、磁性体検出部３２、外部入力部３３、外部出力部３４、スピーカ駆動部３５、スピーカ３６、ＬＥＤ駆動部３７等が内蔵されている。なお、外部入力部３３や外部出力部３４は必須ではない。
【００１３】
制御部３１は、磁性体検出部３２に基づき玄関扉２の開閉の有無を判断するものであって、ＣＰＵ（Central Processing Unit）、ＥＥＰＲＯＭ（Electrically Erasable Programmable Read Only Memory）、ＲＡＭ（Random Access Memory）、タイマー等を有するマイクロコントローラである。ＣＰＵは、ＥＥＰＲＯＭに格納されるプログラムをＲＡＭ上に呼び出して実行し、図４に示す処理を実現する。ＥＥＰＲＯＭは、不揮発性メモリであって記憶内容を書き換え可能であり、図４に示す処理を実現するためのプログラムを記憶している。ＲＡＭは、揮発性メモリであり、ＥＥＰＲＯＭからロードしたプログラム、データ等を一時的に記憶するとともに、ＣＰＵが各種処理を行うために使用するワークメモリ領域を備える。タイマーは、スタート信号が入力されてから予め設定される設定時間が経過すると、出力信号を切り替える。
【００１４】
磁性体検出部３２は、磁性体２０を検出するための素子であって、例えば、リードスイッチである。リードスイッチは、２本の強磁性体リードを有し、外部から磁界が加わると制御部３１に通じる回路を閉じ、外部から磁界がなくなると制御部３１に通じる回路を開く。したがって、磁性体２０が本体１０の周辺に存在すれば、磁性体検出部３２は制御部３１に通じる回路を閉じ、磁性体２０が本体１０の周辺に存在しなければ、磁性体検出部３２は制御部３１に通じる回路を開く。
【００１５】
外部入力部３３は、外部入力信号を制御部３１に伝達する。外部入力信号は、例えば、他の場所に取り付けられたセンサの動作に基づく信号である。センサとしては、居住内の扉の開閉を検知するセンサ、居住内に設置された居住者の体温を感知する人感センサ、居住空間の明るさの変化を感知する光センサ、室温の変化を感知する温度センサ、トイレに設置された赤外線センサ等が挙げられる。また、外部入力信号は、照明の点灯／消灯用ボタンや各種電化製品のスイッチボタン等の動作に基づく信号であっても良く、居住者の安否が判断可能な信号であれば特に限定されない。
【００１６】
外部出力部３４は、制御部３１から出力される警報信号を外部装置に伝達する。制御部３１は、図４に示す処理で通報手段を起動するとき、警報信号を外部装置に出力する。外部出力部３４と接続される外部装置は、例えば、スピーカやＬＥＤ等が挙げられるが、居住者の安否が通報可能な装置であれば特に限定されない。
【００１７】
スピーカ駆動部３５は、制御部３１から出力される制御信号に基づいて、スピーカ３６を駆動する。スピーカ３６は、警報音を出力する通報手段として機能するものであって、例えば、圧電スピーカである。ＬＥＤ駆動部３７は、制御部３１から出力される制御信号に基づいて、バッテリランプ１２や通報ランプ１３等のＬＥＤを駆動する。
【００１８】
図４のフローチャートは、制御部３１による判断処理の流れを示すフローチャートである。図４に示すように、利用者（居住者含む。）が電源スイッチ１４をオンにすると（ステップＳ１）、制御部３１のＣＰＵは、タイマーにスタート信号を入力する（ステップＳ２）。タイマーに予め設定される設定時間は、例えば、２４時間等であるが、利用者の希望に応じて適宜変更可能である。
【００１９】
磁性体検出部３２に対して磁性体２０の磁界が加わらず、磁性体検出部３２が制御部３１に通じる回路を開くと、制御部３１のＣＰＵは、磁性体２０が本体１０の周辺に存在しない、すなわち玄関扉２が開いたと判断し（ステップＳ３のＹｅｓ）、タイマーをリセットし（ステップＳ４）、ステップＳ３の判断処理から繰り返す。
【００２０】
尚、ステップＳ３の判断処理及びステップＳ４のタイマーリセット処理の実現方法としては、磁性体検出部３２が制御部３１に通じる回路を開いたとき、ハードウエア割り込みとしてステップＳ４のタイマーリセット処理が実行されるようにしても良い。また、制御部３１のＣＰＵが、ポーリングで、磁性体検出部３２が制御部３１に通じる回路を開いたか否かを示すフラグを定期的に確認し、条件を満たしたときにステップＳ４のタイマーリセット処理を実行するようにしても良い。
【００２１】
一方、磁性体検出部３２に対して磁性体２０の磁界が加わり、磁性体検出部３２が制御部３１に通じる回路を閉じていると、制御部３１のＣＰＵは、磁性体２０が本体１０の周辺に存在している、すなわち玄関扉２が開いていないと判断し（ステップＳ３のＮｏ）、ステップＳ５に進む。
【００２２】
ステップＳ５では、制御部３１のＣＰＵは、タイマーが設定時間を経過しているか否か確認し（ステップＳ５）、設定時間が経過している場合（ステップＳ５のＹｅｓ）、スピーカ駆動部３５に対して制御信号を出力し、スピーカ駆動部３５がスピーカ３６を駆動する（ステップＳ６）。この場合、制御部３１のＣＰＵは、ＬＥＤ駆動部３７に対しても制御信号を出力し、ＬＥＤ駆動部３７が通報ランプ１３のＬＥＤを駆動する。
【００２３】
一方、制御部３１のＣＰＵは、設定時間が経過していない場合（ステップＳ５のＮｏ）、ステップＳ３の判断処理から繰り返す。この場合、制御部３１のＣＰＵは、タイマーをリセットしない。
【００２４】
尚、ステップＳ５の判断処理及びステップＳ６の駆動処理の実現方法としては、タイマーが設定時間を経過したとき、ハードウエア割り込みとしてステップＳ６の駆動処理が実行されるようにしても良い。また、制御部３１のＣＰＵが、ポーリングで、タイマーが設定時間を経過したか否かを示すフラグを定期的に確認し、条件を満たしたときにステップＳ６の駆動処理を実行するようにしても良い。
【００２５】
以上の通り、制御部３１は、磁性体検出部３２が、一定期間、磁性体２０を検出し続けた場合に玄関扉２の開閉がなかったと判断し、通報手段であるスピーカ３６を起動し、かつ、通報ランプ１３が点灯する。これによって、警報装置１は、一定期間、居住者等によって玄関扉２の開閉がなかったことを通報することができる。
【００２６】
この実施形態において、警報装置１は玄関扉２の外側に取り付けられる。したがって、警報装置１のスピーカ３６が駆動され、通報ランプ１３が駆動されると、スピーカ音および通報ランプは居住外部に発せられる。これにより近隣の住民等に異常を知らせることができる。例えば、居住者が体調の異変によって動けなくなった場合に、居住者が室内に放置されるのを防止することができ、いわゆる孤独死の結果、発見が遅れるという事態を防止することができる。居住者に異変がない場合には、電源スイッチ１４をＯＦＦにすればスピーカ音を止めることができるので、誤通知を速やかに解消することができる。また、居住者の外出時には電源スイッチ１４をＯＦＦにし、帰宅時にＯＮにするような使用態様が望ましい。
【００２７】
尚、警報装置１の設置は玄関扉２に限定されるものではない。例えば、トイレの扉等、居住空間内における扉に取り付けることができる。すなわち、磁性体２０と磁性体検出部３２とが対向可能に配置できるところであれば、居住者の生活スタイルに応じて設置位置を決めることができる。また、扉を閉めたときに磁性体２０と磁性体検出部３２が対向するように配置するだけなので、その設置が容易である。さらに、居住者は電源スイッチ１４のＯＮＮ／ＯＦＦだけで自らの安否を周囲に知らせることができ、操作性に優れる。
【００２８】
（第２の実施態様）
図５は、第２の実施態様の警報装置１の本体１０を示す図である。この実施態様において、磁性体検出部３２を複数個、それぞれ異なる位置に設ける。より詳細には、ケーシング１１の両側縁１１Ａ，１１Ｂおよび前端縁１１Ｃに磁性体検出部３２をそれぞれ設ける。このように配置されることによって、例えば、玄関扉２の左側が開く仕様の場合には本体１０を玄関扉２の左側の側縁１１Ａに配置し、右側が開く仕様の場合には右側の側縁１１Ｂに配置し、これらに対向する位置に磁性体２０を配置するようにすることができる。また、いずれの側縁１１Ａ，１１Ｂにも取り付けられないような場合には、前端縁１１Ｃに本体１０を配置するようにすることができる。すなわち、このような警報装置１によれば、どのような扉にも容易に取り付けることができる。
【００２９】
磁性体検出部３２を複数個設けた場合、制御部３１は複数個の磁性体検出部３２のいずれか一つが回路を閉じていれば、磁性体２０が本体１０の周辺に存在すると判断し、複数個の磁性体検出部３２の全てが回路を開いていれば、磁性体２０が本体１０の周辺に存在しないと判断する。
【００３０】
警報装置１を構成する各構成部材には、本明細書に記載されている材料のほかに、この種の分野において通常用いられている、各種の公知の材料を制限なく用いることができる。
【符号の説明】
【００３１】
１  警報装置
２  玄関扉（扉）
３  枠体
１０  本体
１１  ケーシング
２０  磁性体
３１  制御部
３２  磁性体検出部
３６  スピーカ（通報手段）
【図１】
0003190086.tif 000003
【図２】
0003190086.tif 000004
【図３】
0003190086.tif 000005
【図４】
0003190086.tif 000006
【図５】
0003190086.tif 000007